(57)【要約】【課題】ひも状に吐出でき、火気に対する安全性がより高く、噴射孔の詰まりの生じにくいエアゾール組成物を提供する。【解決手段】アクリルエステル系樹脂と、エステル油と、液化ガスとを含み、前記液化ガスは、前記アクリルエステル系樹脂組成物の溶解量が１質量％以下であるハイドロフルオロオレフィンである、エアゾール組成物。【選択図】なし【特許請求の範囲】
【請求項１】
アクリルエステル系樹脂と、エステル油と、液化ガスとを含み、
前記液化ガスは、前記アクリルエステル系樹脂組成物の溶解量が１質量％以下であるハイドロフルオロオレフィンである、エアゾール組成物。
【請求項２】
前記アクリルエステル系樹脂は、エアゾール組成物中、５〜３０質量％含まれる、請求項１記載のエアゾール組成物。
【請求項３】
前記エステル油は、エアゾール組成物中、１〜２０質量％含まれる、請求項１または２記載のエアゾール組成物。
【請求項４】
前記エステル油は、脂肪酸と２価アルコールのエステルである、請求項１〜３のいずれか１項に記載のエアゾール組成物。
【請求項５】
多価アルコールをさらに含む、請求項１〜４のいずれか１項に記載のエアゾール組成物。
【請求項６】
界面活性剤をさらに含む、請求項１〜５のいずれか１項に記載のエアゾール組成物。
【請求項７】
水をさらに含む、請求項１〜６のいずれか１項に記載のエアゾール組成物。
【発明の詳細な説明】
【技術分野】
【０００１】
本発明は、エアゾール組成物に関する。より詳細には、本発明は、ひも状に吐出でき、火気に対する安全性が高く、噴射孔の詰まりの生じにくいエアゾール組成物に関する。
【背景技術】
【０００２】
従来、ひも状の吐出物を得るためのエアゾール組成物が知られている。特許文献１には、アクリルエステル系樹脂とアルコール含量が１５〜３０重量％である水溶液とエアゾール噴射剤とからなるエアゾール水性組成物において、エアゾール噴射剤として、真溶媒となる液化ガス１５〜５０重量％と貧溶媒となる液化ガス５０〜８５重量％とからなる噴射剤を使用し、前記樹脂成分１５〜３５重量％および水溶液１５〜３３重量％を含むエアゾール水性組成物が開示されている。このエアゾール水性組成物は、吐出するとアクリルエステル系樹脂が析出してひも状の吐出物となる。
【先行技術文献】
【特許文献】
【０００３】
【特許文献１】特開平５−１７９２３４号公報
【発明の概要】
【発明が解決しようとする課題】
【０００４】
特許文献１に記載のエアゾール水性組成物は、水が含まれているため、火気への安全性がいくらか配慮されている。しかしながら、このようなエアゾール水性組成物は、たとえばパーティの演出として多量に使用されたり、子供によって使用されることがある。そのため、より高度に火気への安全面に配慮される必要がある。また、このようなひも状に吐出されるエアゾール組成物は、噴射孔や噴射通路等に残るエアゾール組成物が詰まりを生じやすい。
【０００５】
本発明は、このような従来の課題に鑑みてなされたものであり、ひも状に吐出でき、火気に対する安全性がより高く、噴射孔や噴射通路等において詰まりの生じにくいエアゾール組成物を提供することを目的とする。
【課題を解決するための手段】
【０００６】
上記課題を解決する本発明の吐出製品には、以下の構成が主に含まれる。
【０００７】
（１）アクリルエステル系樹脂と、エステル油と、液化ガスとを含み、前記液化ガスは、前記アクリルエステル系樹脂組成物の溶解量が１質量％以下であるハイドロフルオロオレフィンである、エアゾール組成物。
【０００８】
このような構成によれば、ハイドロフルオロオレフィンは、アクリルエステル系樹脂の溶解量が１質量％以下であり、アクリルエステル系樹脂を溶解させにくい。しかしながら、本発明のエアゾール組成物は、ハイドロフルオロオレフィンとともにエステル油を配合することによりアクリルエステル系樹脂を溶解することができる。そして、このようなエアゾール組成物は、空間に吐出されると、ハイドロフルオロオレフィンが気化することにより、エアゾール組成物中の配合割合が変化する。その結果、吐出されたエアゾール組成物は、アクリルエステル系樹脂が析出しやすくなり、連続したひも状の吐出物を形成することができる。さらに、エアゾール組成物は、吐出後に噴射部材の噴射孔に残留しにくく、噴射孔に吐出物が残留しても容易に取り除くことができ、詰まりを生じにくい。また、ハイドロフルオロオレフィンは、燃焼性の低い液化ガスである。そのため、得られるエアゾール組成物は、吐出物中にハイドロフルオロオレフィンが残留しても、火気に対する安全性がより高められている。
【０００９】
（２）前記アクリルエステル系樹脂は、エアゾール組成物中、５〜３０質量％含まれる、（１）記載のエアゾール組成物。
【００１０】
このような構成によれば、得られるエアゾール組成物は、空間に吐出されると、ちぎれにくく連続したひも状の吐出物が得られやすい。
【００１１】
（３）前記エステル油は、エアゾール組成物中、１〜２０質量％含まれる、（１）または（２）記載のエアゾール組成物。
【００１２】
このような構成によれば、得られるエアゾール組成物は、アクリルエステル系樹脂をより安定に溶解して、噴射部材の噴射孔や噴射通路などでの詰まりを防止する効果が高い。
【００１３】
（４）前記エステル油は、脂肪酸と２価アルコールのエステルである、（１）〜（３）のいずれかに記載のエアゾール組成物。
【００１４】
このような構成によれば、ハイドロフルオロオレフィンとアクリルエステル系樹脂との相溶性が高められる。そのため、得られるエアゾール組成物は、ひも状吐出物の粘着性が抑制されやすく、剥離性が良い。その結果、エアゾール組成物は、使用後の噴射部材の噴射孔や噴射通路等において詰まりを生じにくい。さらに、ひも状吐出物は、火気への安全性が高い。
【００１５】
（５）多価アルコールをさらに含む、（１）〜（４）のいずれか１項に記載のエアゾール組成物。
【００１６】
このような構成によれば、ハイドロフルオロオレフィンとアクリルエステル系樹脂との相溶性が高められる。その結果、エアゾール組成物は、使用後の噴射部材の噴射孔や噴射通路等において、吐出物による詰まりがより生じにくい。また、ひも状吐出物は、柔らかくなりやすい。さらに、エアゾール組成物は、ひも状吐出物の粘着性を抑制する効果が優れ、剥離性が良い。
【００１７】
（６）界面活性剤をさらに含む、（１）〜（５）のいずれか１項に記載のエアゾール組成物。
【００１８】
このような構成によれば、エアゾール組成物は、ひも状吐出物の太さや柔軟性を調整しやすい。また、エアゾール組成物は、水を含有しやすくなり、火気への安全性が高くなる。
【００１９】
（７）水をさらに含む、（１）〜（６）のいずれか１項に記載のエアゾール組成物。
【００２０】
このような構成によれば、エアゾール組成物は、火気への安全性が極めて高くなり、ひも状吐出物に火を直接接触させても着火しない。
【発明の効果】
【００２１】
本発明によれば、ひも状に吐出でき、火気に対する安全性がより高く、噴射孔や噴射通路等において詰まりの生じにくいエアゾール組成物を提供することができる。
【００２２】
＜エアゾール組成物＞
本発明の一実施形態のエアゾール組成物は、アクリルエステル系樹脂と、エステル油と、液化ガスとを主に含む。以下、それぞれの構成について説明する。
【００２３】
（アクリルエステル系樹脂）
アクリルエステル系樹脂は、エアゾール容器内においてエアゾール組成物中に溶解されており、外部に吐出されるとハイドロフルオロオレフィンの気化によって析出し、ひも状の吐出物を形成するための樹脂成分である。
【００２４】
アクリルエステル系樹脂としては、メタクリルエステル樹脂、アクリルエステル樹脂およびこれらの共重合体樹脂等が例示される。
【００２５】
アクリルエステル系樹脂の配合量は特に限定されない。一例を挙げると、アクリルエステル系樹脂の配合量は、エアゾール組成物中、５質量％以上であることが好ましく、７質量％以上であることが好ましく、１０質量％以上であることがより好ましい。また、アクリルエステル系樹脂の配合量は、エアゾール組成物中、３０質量％以下であることが好ましく、２５質量％以下であることが好ましく、２０質量％以下であることがより好ましい。アクリルエステル系樹脂の配合量が５質量％未満である場合、得られる吐出物は、空間でちぎれやすく、連続したひも状に形成されにくい傾向がある。一方、アクリルエステル系樹脂の配合量が３０質量％を超える場合、エアゾール組成物中で析出しやすくなり、エアゾールバルブや噴射部材の噴射孔、噴射通路等が詰まりやすくなる傾向がある。
【００２６】
（エステル油）
エステル油は、アクリルエステル系樹脂と、ハイドロフルオロオレフィンとの相溶性を高め、ひも状吐出物の粘着性を抑制して剥離性を良くし、噴射孔や噴射通路における詰まりを生じにくくするために配合される。
【００２７】
エステル油としては特に限定されない。一例を挙げると、エステル油は、脂肪酸とアルコールとのエステルである。このようなエステルとしては、ジネオペンタン酸メチルペンタンジオール、ジネオペンタン酸ジエチルペンタンジオール、ジ−２−エチルへキサン酸ネオペンチルグリコール、ジカプリン酸ネオペンチルグリコール、ジラウリン酸プロピレングリコール、ジステアリン酸エチレングリコール、ジラウリン酸ジエチレングリコール、ジステアリン酸ジエチレングリコール、ジイソステアリン酸ジエチレングリコール、ジオレイン酸ジエチレングリコール、ジラウリン酸トリエチレングリコール、ジステアリン酸トリエチレングリコール、ジイソステアリン酸トリエチレングリコール、ジオレイン酸トリエチレングリコールなどの脂肪酸と２価アルコールとのジエステル；モノステアリン酸プロピレングリコール、モノオレイン酸プロピレングリコール、モノステアリン酸エチレングリコールなどの脂肪酸と２価アルコールとのモノエステル；トリ２−エチルへキサン酸グリセリル、トリ（カプリル・カプリン酸）グリセリンなどの脂肪酸と３価アルコールとのトリエステル、ミリスチン酸イソプロピル、パルミチン酸イソプロピルなどの脂肪酸と１価アルコールのモノエステル；等が例示される。これらの中でも、エステル油は、アクリルエステル系樹脂とハイドロフルオロオレフィンとの溶解性がより優れており、噴射孔や噴射通路等における詰まりを生じにくい点や、ひも状吐出物の燃焼性を抑制し、火気への安全性が高い点から、脂肪酸と２価アルコールのエステルが好ましく、特に、脂肪酸と２価アルコールとのジエステルが好ましい。
【００２８】
エステル油の配合量は、アクリルエステル系樹脂とハイドロフルオロオレフィンとの相溶性を高め得る量であれば特に限定されない。一例を挙げると、エステル油の配合量は、エアゾール組成物中、１質量％以上であることが好ましく、２質量％以上であることがより好ましい。また、エステル油の配合量は、エアゾール組成物中、２０質量％以下であることが好ましく、１５質量％以下であることがより好ましい。エステル油の配合量が１質量％未満である場合、アクリルエステル系樹脂を可溶化しにくくなり、噴射部材の噴射孔や噴射通路等で詰まりやすくなる傾向がある。一方、エステル油の配合量が２０質量％を超える場合、アクリルエステル樹脂の析出が遅くなる。そのため、得られるひも状吐出物は、細くなってちぎれやすく、また、乾燥しにくくなる傾向がある。
【００２９】
特に、アクリルエステル系樹脂に対するエステル油の含有量の比（エステル油／アクリルエステル系樹脂）は、０．０５倍以上であることが好ましく、０．１倍以上であることがより好ましい。また、アクリルエステル系樹脂に対するエステル油の含有量の比（エステル油／アクリルエステル系樹脂）は、０．７倍以下であることが好ましく、０．６５倍以下であることがより好ましい。含有量の比が上記範囲内に調整されることにより、得られるエアゾール組成物は、ひも状吐出物の粘着性が抑制されて剥離性が非常に良くなり、床やカーペット上に落下しても容易に除去することができる。
【００３０】
（任意成分（油成分））
本実施形態のエアゾール組成物は、ひも状吐出物の乾燥性や硬さを調整する等の目的から、上記したエステル油以外に、油脂類、シリコーンオイル、高級脂肪酸、高級アルコール等の任意成分（油成分）が配合されてもよい。
【００３１】
油脂類としては、アボカド油、ツバキ油、タートル油、マカデミアナッツ油、トウモロコシ油、ミンク油、オリーブ油、ナタネ油、ゴマ油、ヒマシ油、アマニ油、サフラワー油、ホホバ油、麦芽油、ヤシ油、パーム油等が例示される。
【００３２】
シリコーンオイルとしては、メチルポリシロキサン、メチルフェニルポリシロキサン、メチルハイドロジェンポリシロキサン、メチルポリシクロシロキサン等が例示される。
【００３３】
高級脂肪酸としては、ラウリン酸、ミリスチン酸、パルミチン酸、ステアリン酸、ベヘニン酸、オレイン酸、イソステアリン酸、リノール酸、リノレイン酸等が例示される。
【００３４】
高級アルコールとしては、ラウリルアルコール、セチルアルコール、ステアリルアルコール、ベヘニルアルコール、ミリスチルアルコール、ラノリンアルコール、ヘキシルドデカノール、セトステアリルアルコール、オクチルドデカノール、オレイルアルコール、イソステアリルアルコール等が例示される。
【００３５】
エステル油以外の油成分が配合される場合、油成分の配合量は、エアゾール組成物中、０．１質量％以上であることが好ましく、０．５質量％以上であることがより好ましい。また、油成分の配合量は、エアゾール組成物中、１０質量％以下であることが好ましく、５質量％以下であることがより好ましい。油成分が上記範囲内で配合されることにより、吐出物は、適度な硬さに調整され、ひも状となりやすい。
【００３６】
（その他の任意成分）
本実施形態のエアゾール組成物は、上記した原料以外に、界面活性剤、多価アルコール、水、各種添加剤等が配合されてもよい。
【００３７】
界面活性剤は、ひも状吐出物の乾燥性や硬さを調整する、火気への安全性を高くする、水を含有しやすくする等の目的で配合される。
【００３８】
界面活性剤としては、モノヤシ油脂肪酸ＰＯＥソルビタン、モノステアリン酸ＰＯＥソルビタン、モノオレイン酸ＰＯＥソルビタン、トリオレイン酸ＰＯＥソルビタンなどのポリオキシエチレンソルビタン脂肪酸エステル；モノオレイン酸ジグリセリル、モノステアリン酸ジグリセリル、モノラウリン酸ジグリセリル、モノカプリン酸ジグリセリル、モノラウリン酸ヘキサグリセリル、モノミリスチン酸ヘキサグリセリル、モノラウリン酸ペンタグリセリル、モノミリスチン酸ペンタグリセリル、モノオレイン酸ペンタグリセリル、モノステアリン酸ペンタグリセリル、ヘキサステアリン酸ペンタグリセリル、トリミリスチン酸ペンタグリセリル、トリオレイン酸ペンタグリセリル、モノラウリン酸デカグルセリル、モノミリスチン酸デカグリセリル、モノステアリン酸デカグリセリル、モノイソステアリン酸デカグリセリル、モノオレイン酸デカグリセリル、モノリノール酸デカグリセリル、ペンタステアリン酸デカグリセリル、ペンタオレイン酸デカグリセリルなどのポリグリセリン脂肪酸エステル；ＰＯＥ・ＰＯＰセチルエーテル、ＰＯＥ・ＰＯＰデシルテトラデシルエーテルなどのポリオキシエチレンポリオキシプロピレンアルキルエーテル；ＰＯＥセチルエーテル、ＰＯＥステアリルエーテル、ＰＯＥオレイルエーテル、ＰＯＥラウリルエーテル、ＰＯＥベヘニルエーテルなどのポリオキシエチレンアルキルエーテル；モノラウリン酸ポリエチレングリコール、モノステアリン酸ポリエチレングリコールなどのポリエチレングリコール脂肪酸エステル；ＰＯＥ硬化ヒマシ油などのポリオキシエチレン硬化ヒマシ油；モノステアリン酸ＰＯＥグリセリル、モノオレイン酸ＰＯＥグリセリルなどのポリオキシエチレングリセリン脂肪酸エステル；ステアリン酸ＰＯＥセチルエーテル、イソステアリン酸ＰＯＥラウリルエーテルなどのポリオキシエチレンアルキルエーテル脂肪酸エステル；モノラウリン酸ＰＯＥソルビット、テトラステアリン酸ＰＯＥソルビット、テトラオレイン酸ＰＯＥソルビットなどのポリオキシエチレンソルビット脂肪酸エステル；ヤシ油脂肪酸Ｎ−メチルエタノールアミドなどのアルキルアルカノールアミドなどのアルキルアルカノール型；などの非イオン性界面活性剤が例示される。これらの中でも、界面活性剤は、親水基により火気への安全性が高くなる点からＨＬＢが１０〜２０である親水性界面活性剤が好ましい。
【００３９】
界面活性剤が配合される場合、界面活性剤の配合量は、エアゾール組成物中、０．１質量％以上であることが好ましく、０．５質量％以上であることがより好ましい。また、界面活性剤の配合量は、エアゾール組成物中、１０質量％以下であることが好ましく、８質量％以下であることがより好ましい。界面活性剤の配合量が０．１質量％未満である場合、水を配合しやすくする効果や火気への安全性を高くする効果が得られにくい傾向がある。一方、界面活性剤の配合量が１０質量％を超える場合、得られる吐出物は、乾燥しにくく、粘着性が強くなって剥離性が悪くなりやすい傾向がある。
【００４０】
本実施形態のエアゾール組成物は、多価アルコールや水が好適に配合される。多価アルコールは、得られる吐出物の乾燥性を調整して柔らかくする、粘着性を抑制して剥離しやすくする、吐出後に噴射部材の噴射孔や噴射通路に残留する残留物による詰まりを防止するために、好適に配合される。
【００４１】
多価アルコールとしては、プロピレングリコール、１，３−ブチレングリコール、ヘキシレングリコール、ジプロピレングリコールなどの２価アルコール、グリセリンなどの３価アルコール等が例示される。
【００４２】
多価アルコールが配合される場合の配合量は、エアゾール組成物中、０．５質量％以上であることが好ましく、１質量％以上であることがより好ましい。また、多価アルコールの配合量は、２０質量％以下であることが好ましく、１５質量％以下であることがより好ましい。多価アルコールの配合量が０．５質量％未満である場合、多価アルコールを配合する効果が得られにくい傾向がある。また、多価アルコールの配合量が２０質量％を超える場合、得られる吐出物は、乾燥しにくくなり、粘着性が強くなって剥離性が悪くなりやすい傾向がある。また、乾燥性が悪いため火を近づけると着火しやすくなる傾向がある。
【００４３】
水は、得られる吐出物に裸火を接触させても着火しない、着火しても継続して燃えないなど、火気への安全性を高くするために、好適に配合される。
【００４４】
水としては、精製水、イオン交換水等が例示される。
【００４５】
水が配合される場合の配合量は、エアゾール組成物中、０．５質量％以上であることが好ましく、１質量％以上であることがより好ましい。また、水の配合量は、３０質量％以下であることが好ましく、２０質量％以下であることがより好ましい。水の配合量が０．５質量％未満である場合、水を配合する効果が得られにくい傾向がある。また、水の配合量が３０質量％を超える場合、アクリルエステル樹脂の溶解性が低下して固まりができやすく、使用前に振ってエアゾール組成物を混合しても均一な組成で吐出しにくくなる傾向がある。
【００４６】
ほかにも、本実施形態のエアゾール組成物は、適宜、添加剤が配合されてもよい。添加剤としては、吐出物を着色する色素や顔料、吐出物から蒸散して害虫を寄せ付けない害虫忌避剤、吐出物から蒸散して害虫を駆除する殺虫剤、吐出物から匂いを蒸散させる香料、臭いを消臭する消臭剤等が例示される。
【００４７】
色素としては、アマランス（赤色２号）、エリスロシン（赤色３号）、ニューコクシン（赤色１０２号）、フロキシン（赤色１０４号）、レゾルシンブラウン（かっ色２０１号）、オレンジＩ（だいだい色４０２号）、サンセットイエロー（黄色５号）、ウラニン（黄色２０２号）、メタニルイエロー（黄色４０６号）、ファストグリーン（緑色３号）、アリザリンシアニングリーンＦ（緑色２０１号）、ブリリアントブルーＦＣＦ（青色１号）、インジゴカルミン（青色２号）、パテントブルーＮＡ（青色２０２号）、アリズロールパープル（紫色４０１号）、ナフトールブルーブラック（黒色４０１号）などの水溶性色素や、ローダミンＢステアレート（赤色２１５号）、スダンIII（赤色２２５号）、薬用スカーレット（赤色５０１号）、ジブロムフルオレセイン（橙色２０１号）、オレンジＳＳ（橙色４０３号）、フルオレセイン（黄色２０１号）、キノリンイエローＳＳ（黄色２０４号）、キニザリングリーンＳＳ（緑色２０２号）、スタンブルーＢ（青色４０３号）、アリズリンパープルＳＳ（紫色２０１号）などの油性色素が例示される。
【００４８】
顔料としては、例えばリソールルビンＢ（赤色２０１号）、リソールルビンＢＣＡ（赤色２０２号）、レーキレッドＣ（赤色２０３号）、レーキレッドＣＢＡ（赤色２０４号）、リソールレッド（赤色２０５号）、リソールレッドＣＡ（赤色２０６号）、リソールレッドＢＡ（赤色２０７号）、リソールレッドＳＲ（赤色２０８号）、ディープマルーン（赤色２２０号）、トルイジンレッド（赤色２２１号）、パーマトンレッド（赤色２２８号）、ブリリアントファストスカーレット（赤色４０４号）、パーマネントレッドＦ５Ｒ（赤色４０５号）、パーマネントオレンジ（橙色２０３号）、ベンチジンオレンジＧ（橙色２０４号）、ハンザオレンジ（橙色４０１号）、ベンチジンエローＧ（黄色２０５号）、ハンザエロー（黄色４０１号）、フタロシアニンブルー（青色４０４号）等が例示される。
【００４９】
害虫忌避剤としては、Ｎ，Ｎ−ジエチル−ｍ−トルアミド（ディート）、ハーブエキス等が例示される。消臭成分としては、緑茶エキス、柿タンニン、銀等が例示される。
【００５０】
殺虫剤としては、フタルスリン、イミプロトリン、アレスリン、ペルメトリン、シスメスリン、プロパルスリン、レスメトリン、ｄ−フェノトリン、テフルスリン、ベンフルスリン、ネオピナミンフォルテ、クリスロンフォルテ等が例示される。
【００５１】
香料としては、リモネン、各種植物精油、フルーツオイル、合成香料、調合香料、天然香料等が例示される。
【００５２】
消臭剤としては、ラウリル酸メタクリレート、安息香酸メチル、フェニル酢酸メチル、ゲラニルクロトレート、ミリスチン酸アセトフェノン、酢酸ベンジル、プロピオン酸ベンジル、緑茶エキス等が例示される。
【００５３】
（液化ガス）
液化ガスは、エアゾール容器内では蒸気圧を有する液体であり、吐出されることにより気化してアクリルエステル系樹脂をひも状に析出させるために配合される。本実施形態の液化ガスは、アクリルエステル系樹脂組成物の溶解量が１質量％以下であるハイドロフルオロオレフィンを主に含む。
【００５４】
ハイドロフルオロオレフィンとしては、トランス−１，３，３，３−テトラフルオロプロパ−１−エン、トランス−２，３，３，３−テトラフルオロプロパ−１−エン等が例示される。
【００５５】
ハイドロフルオロオレフィンの配合量は、アクリルエステル系樹脂をひも状に吐出し得る量であればよく、特に限定されない。一例を挙げると、ハイドロフルオロオレフィンの配合量は、エアゾール組成物中、４０質量％以上であることが好ましく、４５質量％以上であることがより好ましい。一方、ハイドロフルオロオレフィンの配合量は、エアゾール組成物中、８０質量％以下であることが好ましく、７５質量％以下であることがより好ましい。ハイドロフルオロオレフィンの配合量が４０質量％未満である場合、吐出時の勢いが弱くなりやすく、吐出物が噴射孔付近で付着しやすく、連続したひも状になりにくい傾向がある。一方、ハイドロフルオロオレフィンの配合量が８０質量％を超える場合、アクリルエステル系樹脂やエステル油等の含有量が少なくなり、ひも状の吐出物が形成されにくい傾向がある。
【００５６】
なお、本実施形態のエアゾール組成物は、エアゾール組成物の圧力を調整して噴射距離を調整するなどの目的で、噴射剤として他の液化ガスや圧縮ガスが配合されてもよい。このような噴射剤としては、プロパン、イソブタン、ノルマルブタン、およびこれらの混合物である液化石油ガス、ジメチルエーテル等の液化ガス；亜酸化窒素ガス、炭酸ガス、窒素ガス、圧縮空気、酸素ガス等の圧縮ガスが例示される。
【００５７】
本実施形態のエアゾール組成物の製造方法は特に限定されない。一例を挙げると、エアゾール組成物は、アクリルエステル系樹脂、エステル油、必要に応じて多価アルコール、水、界面活性剤、添加剤等を予め混合して分散原液を調製し、分散原液を容器内に充填し、容器にエアゾールバルブを取り付けて密封し、エアゾールバルブからハイドロフルオロオレフィンを充填し、容器内でアクリルエステル系樹脂等を溶解させることにより製造し得る。また、アクリルエステル樹脂以外の原液を調製し、この原液とアクリルエステル樹脂を別々に容器内に充填してもよい。
【００５８】
以上、本実施形態のエアゾール組成物によれば、アクリルエステル系樹脂の溶解量が１質量％以下であるハイドロフルオロオレフィンをエステル油とともに配合することによりアクリルエステル系樹脂を溶解させることができる。このようなエアゾール組成物は、外部に噴射されると、ハイドロフルオロオレフィンが気化して、エアゾール組成物中の配合割合が変化する。これにより、アクリルエステル系樹脂は、析出しやすくなる。その結果、エアゾール組成物は、連続したひも状の吐出物を得ることができる。また、エアゾール組成物は、吐出後に噴射部材の噴射孔に残留しにくく、噴射孔に吐出物が残留しても容易に取り除くことができるため、詰まりを生じにくい。さらに、ハイドロフルオロオレフィンは、燃焼性の低い液化ガスである。そのため、得られるエアゾール組成物は、吐出物中にハイドロフルオロオレフィンが残留しても、火気に対する安全性がより高められている。
【実施例】
【００５９】
以下、実施例により本発明をより具体的に説明する。本発明は、これら実施例に何ら限定されない。
【００６０】
（実施例１）
以下の処方にしたがって、ハイドロフルオロオレフィン（トランス−１，３，３，３−テトラフルオロプロパ−１−エン）以外の成分をアルミニウム製耐圧容器に充填し、次いで、容器にエアゾールバルブを取り付け、バルブからハイドロフルオロオレフィンを加圧充填し、エアゾール組成物を調製した。また、バルブのステムに噴射部材を取り付け、エアゾール製品を作製した。バルブとしては、角孔１．１ｍｍ×０．７ｍｍのステム孔を２カ所備えているステムと、下孔の孔径がφ１．５ｍｍであり、横穴なしであるハウジングを備えているものを、噴射部材としては、孔径がφ０．７ｍｍである噴射孔が形成されているものを使用した。
（処方１）
アクリルエステル系樹脂（＊１）                              １９．５
ジネオペンタン酸メチルペンタンジオール（＊２）                ４．２
ジプロピレングリコール                                        ４．２
ＰＯＥ（２０）ソルビタントリオレエート（＊３）                ２．１
トランス−１，３，３，３−テトラフルオロプロパ−１−エン    ７０．０          
合計                                                      １００．０（質量％）
＊１：ダイヤナール  ＢＲ−１０１（商品名）、三菱レイヨン（株）製
＊２：Ｎｅｏｓｏｌｕｅ−ＭＰ（商品名）、日本精化（株）製
＊３：ＮＩＫＫＯＬ  ＴＯ−３０Ｖ（商品名）ＨＬＢ１１．０、日光ケミカルズ（株）製
【００６１】
（実施例２）
以下の処方２に変更した以外は実施例１と同様にしてエアゾール組成物を調製し、エアゾール製品を作製した。
（処方２）
アクリルエステル系樹脂（＊１）                              １９．５
ジネオペンタン酸メチルペンタンジオール（＊２）                ４．２
１，３ブチレングリコール                                      ４．２
ＰＯＥ（２０）ソルビタントリオレエート（＊３）                ２．１
トランス−１，３，３，３−テトラフルオロプロパ−１−エン    ７０．０          
合計                                                      １００．０（質量％）
【００６２】
（実施例３）
以下の処方３に変更した以外は実施例１と同様にしてエアゾール組成物を調製し、エアゾール製品を作製した。
（処方３）
アクリルエステル系樹脂（＊１）                              １６．５
ジネオペンタン酸メチルペンタンジオール（＊２）                ６．９
ＰＯＥ（２０）ソルビタントリオレエート（＊３）                １．７
ジプロピレングリコール                                      １３．８
トランス−１，３，３，３−テトラフルオロプロパ−１−エン    ６１．１          
合計                                                      １００．０（質量％）
【００６３】
（実施例４）
以下の処方４に変更した以外は実施例１と同様にしてエアゾール組成物を調製し、エアゾール製品を作製した。
（処方４）
アクリルエステル系樹脂（＊１）                              １６．０
ジネオペンタン酸メチルペンタンジオール（＊２）                ６．７
ＰＯＥ（２０）ソルビタントリオレエート（＊３）                １．６
ジプロピレングリコール                                      １６．７
トランス−１，３，３，３−テトラフルオロプロパ−１−エン    ５９．０          
合計                                                      １００．０（質量％）
【００６４】
（実施例５）
以下の処方５に変更した以外は実施例１と同様にしてエアゾール組成物を調製し、エアゾール製品を作製した。
（処方５）
アクリルエステル系樹脂（＊１）                              ２４．０
ジネオペンタン酸メチルペンタンジオール（＊２）                ７．５
ＰＯＥ（２０）ソルビタントリオレエート（＊３）                １．９
トランス−１，３，３，３−テトラフルオロプロパ−１−エン    ６６．６          
合計                                                      １００．０（質量％）
【００６５】
（実施例６）
以下の処方６にしたがって、ハイドロフルオロオレフィン（トランス−１，３，３，３−テトラフルオロプロパ−１−エン）以外の成分をアルミニウム製耐圧容器に充填し、次いで、容器にエアゾールバルブを取り付け、バルブからハイドロフルオロオレフィンを加圧充填し、エアゾール組成物を調製した。また、バルブのステムに噴射部材を取り付け、エアゾール製品を作製した。バルブとしては、孔径がφ０．５ｍｍであるステム孔を備えているステムと、下孔の孔径がφ１．５ｍｍであり、横穴なしのハウジングを備えているものを、噴射部材としては、孔径がφ０．６ｍｍである噴射孔が形成されているものを使用した。
（処方６）
アクリルエステル系樹脂（＊１）                              ２２．０
ジネオペンタン酸メチルペンタンジオール（＊２）                ９．３
ＰＯＥ（４０）硬化ヒマシ油（＊４）                            １．５
精製水                                                      １３．３
トランス−１，３，３，３−テトラフルオロプロパ−１−エン    ５３．９          
合計                                                      １００．０（質量％）
＊４：ＮＩＫＫＯＬ  ＨＣＯ−４０（商品名）ＨＬＢ１２．５、日光ケミカルズ（株）製
【００６６】
（実施例７）
以下の処方７に変更した以外は実施例６と同様にしてエアゾール組成物を調製し、エアゾール製品を作製した。
（処方７）
アクリルエステル系樹脂（＊１）                              １６．３
ジネオペンタン酸メチルペンタンジオール（＊２）                ６．８
ＰＯＥ（４０）硬化ヒマシ油（＊４）                            ３．３
ジプロピレングリコール                                        ３．４
精製水                                                        ９．８
トランス−１，３，３，３−テトラフルオロプロパ−１−エン    ６０．４          
合計                                                      １００．０（質量％）
【００６７】
（実施例８）
以下の処方８に変更した以外は実施例６と同様にしてエアゾール組成物を調製し、エアゾール製品を作製した。
（処方８）
アクリルエステル系樹脂（＊１）                              １５．８
ジネオペンタン酸メチルペンタンジオール（＊２）                ９．９
ＰＯＥ（４０）硬化ヒマシ油（＊４）                            ３．２
精製水                                                      １４．１
トランス−１，３，３，３−テトラフルオロプロパ−１−エン    ５７．０          
合計                                                      １００．０（質量％）
【００６８】
（比較例１）
以下の処方９に変更した以外は実施例１と同様にしてエアゾール組成物を調製し、エアゾール製品を作製した。
（処方９）
アクリルエステル系樹脂（＊１）                                １．０
トランス−１，３，３，３−テトラフルオロプロパ−１−エン    ９９．０          
合計                                                      １００．０（質量％）
【００６９】
（比較例２）
以下の処方１０に変更した以外は実施例１と同様にしてエアゾール組成物を調製し、エアゾール製品を作製した。
（処方１０）
アクリルエステル系樹脂（＊１）                              １９．５
ジメチルポリシロキサン（＊５）                                ４．２
ジプロピレングリコール                                        ４．２
ＰＯＥ（２０）ソルビタントリオレエート（＊３）                ２．１
トランス−１，３，３，３−テトラフルオロプロパ−１−エン    ７０．０          
合計                                                      １００．０（質量％）
＊５：ＳＨ２００  ５００ｃｓ（商品名、東レ・ダウコーニング（株）製）
【００７０】
（比較例３）
以下の処方１１に変更した以外は実施例１と同様にしてエアゾール組成物を調製し、エアゾール製品を作製した。
（処方１１）
アクリルエステル系樹脂（＊１）                              １９．５
ケロシン（＊６）                                              ４．２
ジプロピレングリコール                                        ４．２
ＰＯＥ（２０）ソルビタントリオレエート（＊３）                ２．１
トランス−１，３，３，３−テトラフルオロプロパ−１−エン    ７０．０          
合計                                                      １００．０（質量％）
＊６：ネオチオゾール（商品名）、中央化成（株）製
【００７１】
（比較例４）
以下の処方１２に変更した以外は実施例１と同様にしてエアゾール組成物を調製し、エアゾール製品を作製した。
（処方１２）
アクリルエステル系樹脂（＊１）                              １９．５
ジプロピレングリコール                                        ８．４
ＰＯＥ（２０）ソルビタントリオレエート（＊３）                ２．１
トランス−１，３，３，３−テトラフルオロプロパ−１−エン    ７０．０          
合計                                                      １００．０（質量％）
【００７２】
（比較例５）
以下の処方１３に変更した以外は実施例１と同様にしてエアゾール組成物を調製し、エアゾール製品を作製した。
（処方１３）
アクリルエステル系樹脂（＊１）                              １９．５
ジネオペンタン酸メチルペンタンジオール（＊２）                ４．２
ジプロピレングリコール                                        ４．２
ＰＯＥ（２０）ソルビタントリオレエート（＊３）                ２．１
液化石油ガス                                                ７０．０          
合計                                                      １００．０（質量％）
【００７３】
実施例１〜８、比較例１〜５において得られたエアゾール組成物について、以下の評価方法にしたがって、樹脂の溶解性、火気への安全性、詰まりの発生有無、吐出物の形状、剥離性について評価した。結果を表１に示す。
【００７４】
（樹脂の溶解性）
エアゾール組成物を透明なポリエチレンテレフタレート製耐圧容器に充填し、エアゾール組成物の外観を観察した。
（評価基準）
◎：樹脂は、容易に溶解した。
○：樹脂は、充填後に１時間静置すると溶解した。
×：樹脂は、充填後に１日間静置しても溶解せず、固形の状態で残留した。
【００７５】
（火気への安全性）
吐出物にライターで火を付けたときの状態を評価した。
（評価基準）
◎：吐出物は、着火しなかった。
○：吐出物は、一瞬着火したが、すぐに消火した。
×：吐出物は、着火し、吐出物全部が燃えた。
【００７６】
（詰まりの発生有無）
エアゾール組成物を４ｇ吐出し、噴射部材を取り付けたままの状態で２５℃の恒温室内で１日間保存し乾燥させた。これを１サイクルとして２５サイクル実施した。
（評価基準）
◎：エアゾール組成物は、詰まることなく最後まで吐出できた。
○：エアゾール組成物は、噴射孔を塞ぐように付着したが、付着物を容易に除去でき、吐出できた。
×：エアゾール組成物は、噴射孔で詰まりが発生し、詰まった吐出物を除去したが、噴射通路内に残留して吐出できなかった。
【００７７】
（吐出物の形状）
１ｍの高さから空間に吐出したときに、床に落下して形成されたひも状吐出物の長さを評価した。
（評価基準）
◎：吐出物は、空間でほとんどちぎれることなく１００ｃｍ以上のひも状になった。
○：吐出物は、空間で一部がちぎれたが、７０ｃｍ以上のひも状になった。
×１：吐出物は、噴射孔近辺で付着して絡まり、ひも状にならなかった。
×２：吐出物は、空間で細かくちぎれて、ひも状にならなかった。
【００７８】
（吐出物の剥離性）
１ｍの高さから空間に噴射し、床（カーペット）に落下して付着したひも状吐出物を１０秒後に剥がしたときの剥離性を評価した。
（評価基準）
◎：吐出物は、乾燥しており、ひも状の状態で剥がし取れた。
○：吐出物は、ほとんどが乾燥しており、一部ちぎれたがひも状の状態で剥がし取れた。
×：吐出物は、乾燥していなく、粘着性が強く、小さくちぎれて剥がし取りにくかった。
【００７９】
【表１】
2018016764.tif 000002
【００８０】
表１に示されるように、実施例１〜８のエアゾール組成物は、エステル油を含んでいるため、アクリルエステル系樹脂組成物の溶解量が１質量％以下であるハイドロフルオロオレフィンを含んでいたにもかかわらず、アクリルエステル系樹脂組成物に対する溶解性が優れていた。また、これら実施例１〜８のエアゾール組成物は、いずれも火気への安全性が高く、詰まりを発生しないか、詰まりを発生したとしても容易に除去することができた。さらに、これら実施例１〜８のエアゾール組成物は、ほぼ乾燥した長尺のひも状に吐出することができ、容易に剥離することができた。
【００８１】
一方、比較例１のエアゾール組成物は、エステル油を含んでおらず、樹脂が溶解しなかった。よって吐出物の評価も行っていない。比較例２〜４のエアゾール組成物は、樹脂を溶解させることができたものの、火気への安全性が劣り、かつ、詰まりを発生しやすかった。また、これらの吐出物は、ひも状に吐出されにくかった。比較例５のエアゾール組成物は、アクリルエステル系樹脂組成物の溶解量が１質量％以下であるハイドロフルオロオレフィンを含んでおらず、樹脂を溶解させることができたものの、火気への安全性が劣り、かつ、詰まりを発生しやすかった。